【手続補正書】
【提出日】平成25年7月22日(2013.7.22)
【手続補正１】
【補正対象書類名】特許請求の範囲
【補正対象項目名】全文
【補正方法】変更
【補正の内容】
【特許請求の範囲】
【請求項１】
長手方向に複数隣接して列をなすように、対向する２辺に配置された底版、柱、頂版受け部からなる壁部材と、
壁部材の列の両端側に配置された妻壁と、
によって四方を包囲された貯水領域に、
長手方向に複数隣接して壁部材と並列に壁部材間を所定の間隔で配置された底版、柱、頂版受け部からなる中間柱部材と、
中間柱部材間の底部をコンクリートで打設した底版と、
対面する壁部材と中間柱部材、及び、対面する中間柱部材間を架けて貯水空間を覆う頂版と、
によって構成される地下貯水構造物であって、
前記の、中間柱部材または壁部材、もしくは、中間柱部材及び壁部材は、
底版と接する柱の長辺側の基部にハンチが形成されており、
ハンチ部分の高さがハンチ部分の底辺の長さに対して３倍以上である
ことを特徴とする地下貯水構造物。
【請求項２】
長手方向に複数隣接して列をなすように、対向する２辺に配置された底版、柱、頂版受け部からなる壁部材と、
壁部材の列の両端側に配置された妻壁と、
によって四方を包囲された貯水領域に、
長手方向に複数隣接して壁部材と並列に壁部材間を所定の間隔で配置された底版、柱、頂版受け部からなる中間柱部材と、
中間柱部材間の底部をコンクリートで打設した底版と、
対面する壁部材と中間柱部材、及び、対面する中間柱部材間を架けて貯水空間を覆う頂版と、
によって構成される地下貯水構造物であって、
前記の、中間柱部材または壁部材、もしくは、中間柱部材及び壁部材は、
底版と接する柱の長辺側の基部に形成されたハンチが、
傾斜面の中間部分が平面に、傾斜面の両端部分（柱とハンチの接点付近及びハンチと底版の接点付近）が曲面に形成されている
ことを特徴とする請求項１に記載の地下貯水構造物。
【請求項３】
長手方向に複数隣接して列をなすように、対向する２辺に配置された底版、柱、頂版受け部からなる壁部材と、
壁部材の列の両端側に配置された妻壁と、
によって四方を包囲された貯水領域に、
長手方向に複数隣接して壁部材と並列に壁部材間を所定の間隔で配置された底版、柱、頂版受け部からなる中間柱部材と、
中間柱部材間の底部をコンクリートで打設した底版と、
対面する壁部材と中間柱部材、及び、対面する中間柱部材間を架けて貯水空間を覆う頂版と、
によって構成される地下貯水構造物であって、
前記の、中間柱部材または壁部材、もしくは、中間柱部材及び壁部材は、
頂板受け部に、幅方向中央部分に長手方向に沿って切り欠き部が設けられている
ことを特徴とする請求項１または２に記載の地下貯水構造物。
【請求項４】
前記の壁部材は、
底版が、柱の外縁から貯水領域の外方向に延出している
ことを特徴とする請求項１から請求項３までのいずれか一項に記載の地下貯水構造物。
【請求項５】
前記の切り欠き部は、
切り欠き部上の間隙部分（天端）とともにコンクリートで打設されている
ことを特徴とする請求項３に記載の地下貯水構造物。
【請求項６】
前記の頂版は、
頂版受け部と当接する箇所に
下方に向かって先細のテーパー状の孔が形成されている
ことを特徴とする請求項１から請求項５までのいずれか一項に記載の地下貯水構造物。
【請求項７】
前記の頂版は、
頂版受け部と当接する一方側に、下方に向かって先細のテーパー状の孔が形成され、
頂版受け部と当接する他方側に、鉄筋が配筋されている
ことを特徴とする請求項１から請求項６までのいずれか一項に記載の地下貯水構造物。
【請求項８】
前記の頂版は、
頂版受け部と当接する一方側に、
下方に向かって先細のテーパー状の孔と、鉄筋とが、混在している
ことを特徴とする請求項１から請求項７までのいずれか一項に記載の地下貯水構造物。
【請求項９】
前記の壁部材または前記の中間柱部材と、前記の頂版との接合において、
剛接合とピン接合とが組み合わされている
ことを特徴とする請求項１から請求項８までのいずれか一項に記載の地下貯水構造物。
【手続補正２】
【補正対象書類名】明細書
【補正対象項目名】００１２
【補正方法】変更
【補正の内容】
【００１２】
本発明は、
長手方向に複数隣接して列をなすように、対向する２辺に配置された底版、柱、頂版受け部からなる壁部材と、
壁部材の列の両端側に配置された妻壁と、
によって四方を包囲された貯水領域に、
長手方向に複数隣接して壁部材と並列に壁部材間を所定の間隔で配置された底版、柱、頂版受け部からなる中間柱部材と、
中間柱部材間の底部をコンクリートで打設した底版と、
対面する壁部材と中間柱部材、及び、対面する中間柱部材間を架けて貯水空間を覆う頂版と、
によって構成される
ことを特徴とする地下貯水構造物である。
【手続補正３】
【補正対象書類名】明細書
【補正対象項目名】００１６
【補正方法】変更
【補正の内容】
【００１６】
本発明は、
前記の中間柱部材は、
底版と接する柱の長辺側の基部にハンチが形成されており、
ハンチ部分の高さがハンチ部分の底辺の長さに対して３倍以上である
ことを特徴とする地下貯水構造物である。
【手続補正４】
【補正対象書類名】明細書
【補正対象項目名】００１８
【補正方法】変更
【補正の内容】
【００１８】
本発明は、
前記の中間柱部材は、
底版と接する柱の長辺側の基部にハンチが形成されており、
当該ハンチが、
傾斜面の中間部分が平面に、傾斜面の両端部分（柱とハンチの接点付近及びハンチと底版の接点付近）が曲面に形成されている
ことを特徴とする地下貯水構造物である。
【手続補正５】
【補正対象書類名】明細書
【補正対象項目名】００１９
【補正方法】変更
【補正の内容】
【００１９】
本発明は、ハンチを、平面ハンチと曲面ハンチとの組み合わせにしたものである。
例えば、ハンチの傾斜面の両端部分（柱とハンチの接点付近と、ハンチと底版の接点付近）を曲率半径（Ｒ）が３００ｍｍの曲面ハンチとし、２つの曲面ハンチをつなぐように傾斜面の中間部分に平面ハンチを形成する。
これにより、柱とハンチの接点付近、または、ハンチと底版の接点付近に角が形成されないため、滑らかに連続した形状のハンチが形成され、この部分において水または土砂の滞留が減少し、土砂等の堆積物が従来と比べて少なくなる。
なお、平面ハンチと曲面ハンチの割合は、適宜変更できる。
【手続補正６】
【補正対象書類名】明細書
【補正対象項目名】００２０
【補正方法】変更
【補正の内容】
【００２０】
本発明は、
前記の中間柱部材は、
頂版受け部に、幅方向中央部分に長手方向に沿って切り欠き部が設けられている
ことを特徴とする地下貯水構造物である。
【手続補正７】
【補正対象書類名】明細書
【補正対象項目名】００２２
【補正方法】変更
【補正の内容】
【００２２】
本発明は、
前記の壁部材は、
底版と接する柱の長辺側の基部にハンチが形成されており、
ハンチ部分の高さがハンチ部分の底辺の長さに対して３倍以上である
ことを特徴とする地下貯水構造物である。
【手続補正８】
【補正対象書類名】明細書
【補正対象項目名】００２４
【補正方法】変更
【補正の内容】
【００２４】
本発明は、
前記の壁部材は、
底版と接する柱の長辺側の基部にハンチが形成されており、
当該ハンチが、
傾斜面の中間部分が平面に、傾斜面の両端部分（柱とハンチの接点付近及びハンチと底版の接点付近）が曲面に形成されている
ことを特徴とする地下貯水構造物である。
【手続補正９】
【補正対象書類名】明細書
【補正対象項目名】００２５
【補正方法】変更
【補正の内容】
【００２５】
本発明は、ハンチを、平面ハンチと曲面ハンチとの組み合わせにしたものである。
例えば、ハンチの傾斜面の両端部分（柱とハンチの接点付近と、ハンチと底版の接点付近）を曲率半径（Ｒ）が３００ｍｍの曲面ハンチとし、２つの曲面ハンチをつなぐように傾斜面の中間部分に平面ハンチを形成する。
これにより、柱とハンチの接点付近、または、ハンチと底版の接点付近に角が形成されないため、滑らかに連続した形状のハンチが形成され、この部分において水または土砂の滞留が減少し、土砂等の堆積物が従来と比べて少なくなる。
なお、平面ハンチと曲面ハンチの割合は、適宜変更できる。
【手続補正１０】
【補正対象書類名】明細書
【補正対象項目名】００２６
【補正方法】変更
【補正の内容】
【００２６】
本発明は、
前記の壁部材は、
頂版受け部に、幅方向中央部分に長手方向に沿って切り欠き部が設けられている
ことを特徴とする地下貯水構造物である。
【手続補正１１】
【補正対象書類名】明細書
【補正対象項目名】００２８
【補正方法】変更
【補正の内容】
【００２８】
本発明は、
前記の壁部材は、
底版が、柱の外縁から貯水領域の外方向に延出している
ことを特徴とする地下貯水構造物である。
【手続補正１２】
【補正対象書類名】明細書
【補正対象項目名】００２９
【補正方法】変更
【補正の内容】
【００２９】
本発明は、壁部材の底版を、柱の外縁（貯水領域の外縁）よりも貯水領域の外方向に向かって延出させた形状としたことを特徴とするものである。
地下に構造物を建設する場合に必ず考慮しなければならない外力の一つに、地下水から地下構造物が受ける浮力がある。
地下や軟弱地盤上などの施工条件の悪い場所においては、構造物の設計の基準となる外力が設計時の予測値を上回るような場合や、場所的な制約により外力に対する安全策を十分施すことが難しい場合も多い。
従来の地下構造物の浮力対策としては、地下構造物の底盤から下方の支持地盤に対してアンカーを打設することが行われてきた。
しかし、アンカーは、引き抜きに対する抵抗に関する機能を有するのみであり、地下水位が変動し、地下構造物に当初想定していたよりも大きな浮力が作用した場合、地下構造物が浮き上がるという問題点があった。
このようなことから、アンカーだけを利用するのではなく、他対策も併用しながら地下構造物の浮き上がりを防止するような方策が望まれていた。
そこで、壁部材の底版を、柱の外縁（貯水領域の外縁）よりも貯水領域の外方向に向かって延出させた形状にし、この延出した部分に土や埋め戻し材が載積されることで鉛直下方向の荷重が働き、地下貯水構造物の浮き上がり現象を抑止できるようにした
また、底版の接面面積が大きくなることで、壁部材を設置する際の安定性が向上する。
【手続補正１３】
【補正対象書類名】明細書
【補正対象項目名】００３０
【補正方法】変更
【補正の内容】
【００３０】
本発明は、
前記の切り欠き部は、
切り欠き部上の間隙部分（天端）とともにコンクリートで打設されている
ことを特徴とする地下貯水構造物である。
【手続補正１４】
【補正対象書類名】明細書
【補正対象項目名】００３１
【補正方法】変更
【補正の内容】
【００３１】
切り欠き部は、中間柱部材内または壁部材内に配筋された鉄筋が突出しているため、切り欠き部を避けるようにして頂版が頂版受け部に架設される。
そのため、切り欠き部上に間隙が生じる。
そこで、本発明は、切り欠き部を、切り欠き部上の間隙部分（天端）とともに、コンクリートで打設して塞いだことを特徴とするものである。
これにより、切り欠き部に応力が集中し、切り欠き部が無い場合に比べて、水平方向の荷重に対して高い強度を得ることができる。
【手続補正１５】
【補正対象書類名】明細書
【補正対象項目名】００３２
【補正方法】変更
【補正の内容】
【００３２】
本発明は、
前記の頂版は、
頂版受け部と当接する箇所に
下方に向かって先細のテーパー状の孔が形成されている
ことを特徴とする地下貯水構造物である。
【手続補正１６】
【補正対象書類名】明細書
【補正対象項目名】００３４
【補正方法】変更
【補正の内容】
【００３４】
本発明は、
前記の頂版は、
頂版受け部と当接する一方側に、下方に向かって先細のテーパー状の孔が形成され、
頂版受け部と当接する他方側に、鉄筋が配筋されている
ことを特徴とする地下貯水構造物である。
【手続補正１７】
【補正対象書類名】明細書
【補正対象項目名】００３５
【補正方法】変更
【補正の内容】
【００３５】
本発明は、頂版を、頂版受け部と当接する一方側に、下方に向かって先細のテーパー状の孔を、他方側に鉄筋を配することで、一方側をピン接合とし、他方側を剛接合とすることができる、頂版のプレキャスト製品に関する。
ピン接合用のテーパー状の孔は、いずれの側に形成しても良い。
また、ピン接合用のテーパー状の孔は、少なくとも１以上形成することは必要であるが、頂版の大きさや必要な強度または耐力等に合わせて、複数の孔を形成することができる。
【手続補正１８】
【補正対象書類名】明細書
【補正対象項目名】００３６
【補正方法】変更
【補正の内容】
【００３６】
本発明は、
前記の頂版は、
頂版受け部と当接する一方側に、
下方に向かって先細のテーパー状の孔と、鉄筋とが、混在している
ことを特徴とする地下貯水構造物である。
【手続補正１９】
【補正対象書類名】明細書
【補正対象項目名】００３７
【補正方法】変更
【補正の内容】
【００３７】
本発明は、頂版を、頂版受け部と当接する一方側に、下方に向かって先細のテーパー状の孔と、鉄筋とを混在させ、一方側の接合方法として、ピン接合と剛接合の併用が可能な、頂版のプレキャスト製品に関する。
なお、この場合、必ずしもピン接合と剛接合とを併用する必要は無く、例えば、現場の施工状況によって適宜接合方法を変更する必要が生じた場合、配筋を使用せずにピン接合を選択し、または、テーパー状の孔を使用せずに剛接合を選択するという利用方法も可能である。
なお、テーパー状の孔と、鉄筋とは、必ずしも同等の割合で混在させる必要は無く、鉄筋が１箇所あり、先細のテーパー状の孔が２箇所形成されているのでも良い。
さらに、頂版が頂版受け部と当接する一方側と他方側とで、ピン接合用の孔と剛接合用の鉄筋の割合を変えることもできる。
すなわち、一方側では、剛接合用の配筋が１箇所あり、ピン接合用の孔は２箇所形成されているが、他方側では、剛接合用の配筋が２箇所あり、ピン接合用の孔は１箇所形成されていても良い。
【手続補正２０】
【補正対象書類名】明細書
【補正対象項目名】００３８
【補正方法】変更
【補正の内容】
【００３８】
本発明は、
前記の壁部材または前記の中間柱部材と、前記の頂版との接合において、
剛接合とピン接合とが組み合わされている
ことを特徴とする地下貯水構造物である。
【手続補正２１】
【補正対象書類名】明細書
【補正対象項目名】００３９
【補正方法】変更
【補正の内容】
【００３９】
本発明は、必要な強度、耐力に応じて、接合箇所毎に、剛接合とピン接合とを適宜選択して組み合わせることができる地下貯水構造物である。
剛接合箇所を少なくしてピン接合と組み合わせて接合することで、必要な強度を確保しつつ、低廉なコストで施工できる。